(57)【要約】【課題】  装置ケースの強度が高く、コントラスの高い見易い表示を行うことのできる電光表示装置を提案すること。【解決手段】  電光表示装置１のＬＥＤ群１５を保護している透明プラスチック板５は、前面側ケース部分２の格子状の前板部分２１と格子状の押さえ板６によって前後から保持され、前板部分２１および押さえ板６に形成した各開口２３、６１に対峙して表示１ドットを形成するＬＥＤ群１５がそれぞれ配列され、前板部分２１の表面には黒色の塗装が施されていると共に外光を遮断するための庇部材８が取り付けられている。透明プラスチック板５を前後の格子状の前板部分２１および押さえ板６によって確実に保持でき、装置ケース４の強度も高めることができる。各ＬＥＤ群１５が黒塗りの枠で仕切られ、外光が庇部材８によって遮断されるので、コントラストの高い見易い文字、画像を表示できる。【選択図】  図２
2005202301.tif 000002
【特許請求の範囲】
【請求項１】
前面側ケース部分および背面側ケース部分からなる装置ケースと、
前記装置ケース内において前記前面側ケース部分の背面側に配置した透明プラスチック板と、
前記装置ケース内において前記透明プラスチック板の背面側に配置した押さえ板と、
前記装置ケース内において前記押さえ板の背面側に配置したＬＥＤ基板とを有し、
前記前面側ケース部分は、前板部分と、この前板部分の外周縁から後方に折り曲げられている外周側板部分とを備え、前記前板部分には一定の間隔で縦横に前側開口が形成されており、
前記押さえ板には一定の間隔で縦横に後側開口が形成され、各後側開口は前記前板部分の各前側開口に対峙しており、
前記ＬＥＤ基板の前面には、一定の間隔で縦横に、表示１ドットを形成するための発光体あるいは発光体群が配列されており、表示１ドットを形成するための各発光体あるいは各発光体群は各後側開口に対峙している電光表示装置。
【請求項２】
請求項１において、
前記前面側ケース部分の前記前板部分の外周縁から最も外側の前記前側開口までの外周枠の幅寸法が、各前側開口を仕切っている枠の幅のほぼ１／２である電光表示装置。
【請求項３】
請求項１または２において、
前記前面側ケース部分の前記前板部分の表面には黒色の塗装が施されている電光表示装置。
【請求項４】
請求項１、２または３において、
前記前面側ケース部分の前記前板部分の表面あるいは背面、または前記透明プラスチック板の背面には、各列の前記前側開口の間に沿って庇部材が固定されている電光表示装置。
【請求項５】
請求項１ないし４のうちのいずれかの項において、
前記透明プラスチック板は紫外線遮断機能を備えている電光表示装置。
【請求項６】
請求項１ないし５のうちのいずれかの項において、
前記発光体基板は、同一形状の発光体基板が縦横に配列された構成となっており、
各発光体基板の間には放熱用の隙間が形成されている電光表示装置。
【請求項７】
請求項１ないし６のうちのいずれかの項において、
前記背面側ケース部分は矩形形状をしており、その一方の対角線方向の両端部分には、それぞれ吸排気用の通気口が形成されている電光表示装置。
【請求項８】
請求項７において、
前記通気口のうち、上側に位置する一方の通気口は排気ファンが取り付けられた排気口であり、下側の位置する他方の通気口は吸気口である電光表示装置。
【発明の詳細な説明】
【技術分野】
【０００１】
本発明は、街角などに設置され、各種の広告、宣伝用の文字や画像を表示するために用いる電光表示装置に関するものである。
【背景技術】
【０００２】
電光表示装置は、縦横あるいは斜めに所定ピッチで配列されたＬＥＤなどの発光体を備え、各発光体を選択的に点滅駆動することにより、文字や画像を表示するように構成されている。図５には一般的に使用されている電光表示装置を示してある。この図に示すように、電光表示装置１００は、前面に縦横に格子状に発光体１０１が配列された発光体基板１０２を備え、各発光体１０１を、その前面を覆う透明アクリル板１０３（ガラスなどの場合もある）および装置ケース１０４の前面に形成した矩形開口１０４ａを介して、前方から見ることができるように構成されている。透明アクリル板１０３は、その背面側から矩形枠状の押さえ部材１０５によって固定されている。
【０００３】
ここで、入手可能なアクリル板の大きさが決まっているので、大型の電光表示装置を構成するためには、図５（ｂ）に示すように、縦横に電光表示装置１００をつなぎ合せる方法が採用されている。
【発明の開示】
【発明が解決しようとする課題】
【０００４】
しかしながら、従来の電光表示装置には次のような問題点がある。まず、装置ケース１０４の前面部分には大きな矩形開口１０４ａが形成されているので、装置ケース１０４の強度が不足し、また、透明アクリル板１０３の固定強度が不足するという問題点がある。さらに、屋外に電光表示装置を設置した場合には太陽光が前面を照射して、表示される文字、画像が見えにくいという問題点がある。さらに、発光体基板１０２で発生した熱を効率良く放出できないと、基板上に搭載されている制御回路などの誤動作、耐久性の低下などを引き起こすという問題がある。
【０００５】
一方、図５（ｂ）に示すように縦横に電光表示装置１００をつなぎ合わせて大型の電光表示装置を構成する場合には、電光表示装置相互の繋ぎ目部分１０６では装置ケース１０４の前面部分の外周枠１０４ｂが相互に接合され、ケース枠の幅となってしまう。この結果、繋ぎ目部分において、発光体の配列間隔が広がってしまい、表示文字や表示画像が繋ぎ目部分で切れた状態となり、文字、画像の表示品位が低下するという問題がある。
【０００６】
本発明の課題は、このような点に鑑みて、装置ケースの強度が高く、アクリル板を確実に固定でき、しかも、文字や画像を高いコントラストで表示することのできる電光表示装置を提案することにある。
【０００７】
また、本発明の課題は、表示文字や画像の切れ目部分ができないように、大型の電光表示装置を製作可能な電光表示装置を提案することにある。
【０００８】
さらに、本発明の課題は、高い放熱性能を備えた電光表示装置を提案することにある。
【課題を解決するための手段】
【０００９】
上記の課題を解決するために、本発明の電光表示装置は、
前面側ケース部分および背面側ケース部分からなる装置ケースと、
前記装置ケース内において前記前面側ケース部分の背面側に配置した透明プラスチック板と、
前記装置ケース内において前記透明プラスチック板の背面側に配置した押さえ板と、
前記装置ケース内において前記押さえ板の背面側に配置したＬＥＤ基板とを有し、
前記前面側ケース部分は、前板部分と、この前板部分の外周縁から後方に折り曲げられている外周側板部分とを備え、前記前板部分には一定の間隔で縦横に前側開口が形成されており、
前記押さえ板には一定の間隔で縦横に後側開口が形成され、各後側開口は前記前板部分の各前側開口に対峙しており、
前記ＬＥＤ基板の前面には、一定の間隔で縦横に、表示１ドットを形成するための発光体あるいは発光体群が配列されており、表示１ドットを形成するための各発光体あるいは各発光体群は各後側開口に対峙していることを特徴としている。
【００１０】
本発明の電光表示装置では、透明プラスチック板の前後に配置されている前板部分および押さえ板が、開口部が縦横あるいはマトリックス状に形成された格子板とされている。従って、透明プラスチック板にほぼ対応した大きさの矩形開口が形成されている従来の電光表示装置に比べて、これらの部分の強度を高めることができる。また、表示１ドットを形成する発光体あるいは発光体群は相互に一定幅の枠で仕切られた状態になる。この枠表面に黒色の塗装を施すことにより、各表示ドットのコントラストを高めることができるので、文字や画像が見易くなる。また、前板部分の開口枠部分に文字、絵柄を書くこともできる。
【００１１】
また、前記前板部分の表面あるいは背面、または前記透明プラスチック板の背面に、各列の前記前側開口の間に沿って庇部材を固定すれば、太陽光などの外光を遮断できるので、文字や画像が見易くなり、前面側ケース部分の強度も高くなる。特に、庇部材を背面側に取り付けた場合には、前面が平坦になり、埃などが付きにくくなるので好ましい。
【００１２】
次に、本発明において、前記前板部分の外周縁から最も外側の前記前側開口までの外周枠の幅寸法を、各前側開口を仕切っている枠の幅のほぼ１／２とすることが望ましい。この場合、縦横に電光表示装置をつなぎ合わせて大型の電光表示装置を製作した場合に、各電光表示装置の繋ぎ目部分の枠幅が各開口の枠幅と同一になる。よって、繋ぎ目部分に、文字や画像の切れが表れない大型の電光表示装置を製作することが可能になる。
【００１３】
次に、前記透明プラスチック板が紫外線遮断機能を備えた素材から形成されている場合には、ＬＥＤなどの発光体の劣化を防止できるので好ましい。
【００１４】
一方、前記発光体基板が、複数枚の発光体基板を縦横に配列した構成となっている場合には、各発光体基板の間に放熱用の隙間を形成しておくことが望ましい。
【００１５】
また、前記背面側ケース部分を矩形形状とし、その一方の対角線方向の両端部分に、それぞれ吸排気用の通気口を形成することが望ましい。この場合、前記通気口のうち、上側に位置する一方の通気口を、排気ファンが取り付けられた排気口とし、下側の位置する他方の通気口を吸気口とすればよい。また、この構成の電光表示装置を縦置き状態で使用する場合には、横置き状態において上側に位置していた通気口が下側となり、上側に位置していた通気口が上側となるので、排気ファンを上側の通気口に付け替えるだけで、縦置きに対応できる。
【発明の効果】
【００１６】
本発明の電光表示装置では、発光体を保護している透明プラスチック板の前後に配置されている前板部分および押さえ板を共に格子板とし、これらに、表示１ドットを形成する発光体あるいは発光体群に対応した開口を形成してある。したがって、透明プラスチック板に対応する大きさの開口が前面に形成され、矩形枠状の押さえ部材によって透明プラスチック板の外周縁部分のみを固定していた従来の電光表示装置に比べて、装置ケースの強度および透明プラスチックの押さえ部分の強度を高めることができる。また、庇部材を前板部分に取り付けることにより、当該前板部分の強度を一層高めることができる。よって、前板部分の外周枠の幅を狭くしても、実用上支障がない。このために、外周枠を開口枠の１／２と狭くして、縦横に電光表示装置を接続した場合に、ドット間隔を等間隔にすることができる。
【００１７】
次に、本発明では、前板部分の表面に黒色の塗装を施し、各開口の枠を黒色としてあるので、各表示ドットのコントラストを高め、表示文字や画像が見易いという利点がある。また、庇部材を取り付けた場合には、太陽光などの外光を遮断できるので、より一層、表示文字や画像が見易いという利点がある。
【００１８】
一方、本発明では、発光体基板の間に放熱用の隙間を形成してあるので、内部で発生した熱をこれらの隙間を介して効率良く外部に放出できる。また、矩形の背面側ケース部分の対角線方向の両端部分に通気口を形成してあるので、電光表示装置を横置きおよび縦置きのいずれの状態で使用する場合にも対応できる。
【発明を実施するための最良の形態】
【００１９】
以下に、図面を参照して、本発明を適用した電光表示装置の一例を説明する。図１（ａ）〜（ｃ）は、本例の電光表示装置を示す背面図、側面図および平面図であり、図２は背面側から見た場合の電光表示装置の分解斜視図である。
【００２０】
これらの図に示すように、電光表示装置１は全体として扁平な正方形をしており、前面側ケース部分２および背面側ケース部分３からなる装置ケース４を有している。この装置ケース４には、前面側ケース部分２の背面に配置した透明プラスチック板５と、その背面側に配置した押さえ板６と、その背面側に配置したＬＥＤ基板７が内蔵されている。
【００２１】
前面側ケース部分２は、正方形の前板部分２１と、この前板部分２１の外周縁から後方に直角に折り曲げられている一定幅の外周側板部分２２とを備えている。前板部分２１には、一定の間隔で縦横に、正方形の前側開口２３が形成されている。ここで、前板部分２１の外周縁から最も外側の前側開口２３までの外周枠２４の幅寸法は、各前側開口の間の枠２５の幅のほぼ１／２とされている。また、前板部分２１の表面は黒色の塗装が施されている。さらに、前板部分２１の表面には、各列の前側開口２３の間に沿って庇部材８が平行に取り付けられている。
【００２２】
前板部分２１の背面に配置されている透明プラスチック板５は、紫外線遮断機能を有するアクリル板であり。前板部分２１とほぼ同一の正方形の板である。この透明プラスチック板５を前板部分２１に固定している押さえ板６は、透明プラスチック板５とほぼ同一の大きさの正方形をしており、前板部分２１の各前側開口２３に対応する部位に、同一形状の後側開口６１が形成された構成となっている。
【００２３】
ＬＥＤ基板７は、正方形のＬＥＤ基板７１を縦横に複数枚繋げた構成のものであり、本例では、４枚のＬＥＤ基板７１から構成されている。各ＬＥＤ基板７１の前面には、一定の間隔で縦横に、表示１ドットを形成するためのＬＥＤあるいはＬＥＤ群が配列されている。表示１ドットを形成するための各ＬＥＤあるいは各ＬＥＤ群は各後側開口６１に対峙した位置にある。各ＬＥＤ基板７１の間には狭い幅の放熱用の隙間７２が形成されている。
【００２４】
次に、背面側ケース部分３は、前面側ケース部分２の側に固定される正方形の枠３１と、この枠３１の背面に固定された正方形の背面板３２と、これらの間に固定した制御盤取付部材３３と、枠３１の上下の枠部分に前側から取り付けられた固定板３４、３５を備えている。制御盤取付部材３３には、その背面側から、発光制御用などの制御盤３６が搭載されている。また、背面板３２の一方の対角線上の両角部分には、通気口３７、３８が形成されている。上側に位置している通気口３７には、その前面側にフィルタ１１を介して放熱用の排気ファン１２が取り付けられている。他方の下側の通気口３８の前面側にはフィルタ１３が取り付けられている。
【００２５】
このように構成した本例の電光表示装置１では、ＬＥＤを覆っている透明プラスチック板が格子状の前板部分２１および押さえ板６の間に保持されている。また、前板部分２１の表面には複数本の庇部材８が横方向に平行に取り付けられている。従って、透明プラスチック板５を確実に保持することができ、また、装置ケース４の強度を高めることができる。よって、前板部分２１の外周枠の幅を開口枠の幅の１／２と狭くしても強度上問題がない。
【００２６】
また、表示１ドットを構成しているＬＥＤ群が、それぞれ正方形の前後の枠で仕切られており、前板部分２１の枠表面には黒色の塗装が施されている。また、庇部材８によって太陽光などの外光が遮断される。よって、表示ドットのコントラストを高めることができ、表示文字や画像が見易いという利点がある。
【００２７】
さらに、電光表示装置１を縦横につなぎ合わせて大型の電光表示装置を製作した場合には、電光表示装置１の繋ぎ目部分の枠幅が、各表示ドットの枠幅と同一になる。図３は電光表示装置１を横方向につなぎ合わせた場合における前板部分２１を示す説明図である。この図に示すように、電光表示装置１（１）、１（２）の前板部分２１（１）、２１（２）の繋ぎ目では、各前板部分の外周枠幅Ｗ１が開口枠幅Ｗ２の１／２であるので、繋ぎ目部分の間隔を他の部分と同一にでき、表示文字や画像が切れてしまうことがない。よって、製作された大型の電光表示装置の文字や画像の表示品質を高めることができる。なお、電光表示装置１は横方向に３枚以上つなぎ合わせてもよいし、上下方向につなぎ合わせてもよいことは勿論である。
【００２８】
一方、ＬＥＤ基板７は複数枚のＬＥＤ基板７１をつなぎ合わせて構成され、各ＬＥＤ基板７１の間には放熱用の隙間７２が縦横に形成されている。したがって、装置ケース４の内部で発生した熱が隙間７２を介して、背面側の排気ファン１２によって外部に効率良く放出される。よって、放熱効率の高い電光表示装置１を実現できる。
【００２９】
これに加えて、背面板３２に形成した一対の通気口３７、３８は、電光表示装置１を縦置きにした場合および横置きにした場合のいずれにも対応可能である。図１、２に示す縦置き状態の場合に上側に位置している通気口３７は横置きにすると下側に位置する。他方の通気口３８は逆に上側となる。よって、横置きにした場合には、通気口３７に取り付けられた排気ファン１２を取り外し、上側となった通気口３８に付け直せばよい。
【００３０】
図４（ａ）はＬＥＤ基板７１の表面に配列された表示１ドットを形成しているＬＥＤ群を示す説明図である。ＬＥＤ基板７１の表面には、縦横に表示１ドットを形成するＬＥＤ群１５が一定の間隔で配列されている。各ＬＥＤ群１５は、それらの中心が、対応する前側および後側開口２３、６１の中心にそれぞれ一致するように配列されている。ＬＥＤ群１５は、例えば、２個の赤色ＬＥＤ１５Ｒ（１）、１５Ｒ（２）と、１個の緑色ＬＥＤ１５Ｇと、１個の青色ＬＥＤ１５Ｂを含み、左側の列の上側に緑色ＬＥＤ１５Ｇが配置され、下側に赤色ＬＥＤ１５Ｒ（１）が配置され、各ＬＥＤは上下、左右方向に一定のピッチｐだけ相互にずれた配置関係にある。
【００３１】
この配列を採用すると、上下および左右の方向から見た場合、各ＬＥＤのそれぞれを見ることができ、ＬＥＤが他のＬＥＤによって隠れてしまうことがない。よって、側方などから見た場合に、各表示１ドットを形成しているＬＥＤの一部が隠れてしまい、意図した色調の文字や画像を視認できないという弊害を防止できる。
【００３２】
なお、本例では、上記のように、横置きおよび縦置きで使用でき、いずれの場合にもＬＥＤが横方向から見た場合に隠れてしまうことがない。電光表示装置は、真上あるいは真下から見られることはなく、一般に、正面あるいは左右から見られる。したがって、設置姿勢が定まっている場合には、横方向から見た場合にＬＥＤが隠れないようなＬＥＤ配列を採用すればよい。例えば、図４（ｂ）に示すように、左右に配列した２個ずつのＬＥＤを上下にずらした配列とすればよい。この場合には、上下方向からはＬＥＤが隠れてしまうが、横方向から４個のＬＥＤを見ることができる。
【００３３】
また、本例では、４個のＬＥＤから１表示ドットを構成しているが、異なる個数のＬＥＤによって表示１ドットを形成してもよいことは勿論である。また、単一のＬＥＤにより表示１ドットを形成することもでき、ＬＥＤ以外の発光体を用いることも可能である。
【図面の簡単な説明】
【００３４】
【図１】本発明を適用した電光表示装置の一例を示す背面図、側面図および平面図である。
【図２】図１の電光表示装置を背面側から見た場合の分解斜視図である。
【図３】図１の電光表示装置をつなぎ合わせた状態を示す説明図である。
【図４】図１の電光表示装置のＬＥＤ基板に配列された表示１ドットを構成しているＬＥＤ群を示す説明図である。
【図５】従来の電光表示装置を示す説明図である。
【符号の説明】
【００３５】
１  電光表示装置
２  前面側ケース部分
３  背面側ケース部分
４  装置ケース
２１  前板部分
２２  側板部分
２３  前側開口
２４  外周枠
２５  枠
５    透明プラスチック板
６    押さえ板
６１  後側開口
７、７１    ＬＥＤ基板
７２  放熱用の隙間
８    庇部材
１２  排気ファン
１５  表示１ドット分のＬＥＤ群
１５Ｒ（１）、１５Ｒ（２）  赤色ＬＥＤ
１５Ｇ  緑色ＬＥＤ
１５Ｂ  青色ＬＥＤ
３１  枠
３２  背面板
３７、３８  通気口
【図１】
2005202301.tif 000003
【図２】
2005202301.tif 000004
【図３】
2005202301.tif 000005
【図４】
2005202301.tif 000006
【図５】
2005202301.tif 000007